(57)【要約】      （修正有）【課題】ワークライトの空気充填式ランプシェード構造を提供する。【解決手段】ワークライトの発光アセンブリサポートフレーム外部を覆うことができる軟質透光シェード１０を有する。透光シェード１０は頂部が封鎖され、底部に開口を有する円筒状を呈し、発光アセンブリの作動時、散熱ファンは開口から上方へと送風し透光シェード１０を膨らませる。透光シェード１０には円形の上布１２、及び上縁が上布１２周縁と連接し環状を呈する少なくとも１個の側布１３を設置する。側布１３下縁には間隔を開けて配列する複数の歯状欠口を有し、しかも相互に隣り合う各歯状欠口辺縁は相互に連接し、これにより透光シェード１０下縁は徐々に収縮する立体弧状面１３２を形成する。上布１２は完全透光材質或いは内側底面に反光層を設置でき、これにより完全透光型或いは下方反射型のランプシェードとし、フロア面照明を強化できる。【選択図】図３
2018092876.tif 000002
【特許請求の範囲】
【請求項１】
ワークライトの空気充填式ランプシェード構造であって、ワークライトの発光アセンブリサポートフレーム外部を覆うことができる軟質透光シェードを有し、
前記透光シェードは、頂部が封鎖され、底部に開口を有する円筒状を呈し、
前記発光アセンブリの作動時、散熱ファンは、透光シェード底部開口から、下から上へと送風し、透光シェードを膨らませ、
前記透光シェードは、発光アセンブリサポートフレーム上方に対応する円形上布、及び発光アセンブリサポートフレーム周囲及び下方を取り囲む少なくとも１個の側布を有し、
前記側布上縁と前記上布周縁とは連接し、前記側布下方には、間隔を開けて配列する複数の歯状欠口を有し、しかも相互に隣り合う各歯状欠口辺縁は相互に連接し、徐々に収縮する立体弧状面を形成し、
前記立体弧状面底縁には、前記開口を形成し、しかも開口周縁には、取り外し可能なように発光アセンブリサポートフレーム下方を環状に定位する締め付けベルトを設置し、
前記上布内側底面には、下方へと延伸し、発光アセンブリサポートフレームに掛ける複数の定位ベルトをさらに設置し、前記側布外側には、透光シェードの空気を抜いた後に収束できる収束ベルトを設置することを特徴とするワークライトの空気充填式ランプシェード構造。
【請求項２】
前記上布の内面底面は、不透光の反光層であることを特徴とする請求項１に記載のワークライトの空気充填式ランプシェード構造。
【請求項３】
前記側布下方には、少なくとも１個の通気孔を設置することを特徴とする請求項１に記載のワークライトの空気充填式ランプシェード構造。
【請求項４】
前記側布の内の一つの歯状欠口上には、ファスナーをミシン縫いすることを特徴とする請求項１に記載のワークライトの空気充填式ランプシェード構造。
【請求項５】
前記締め付けベルトの両端には、相互に固定可能な一組の嵌接部材或いは粘着接合部材を設置し、しかも前記嵌接部材或いは前記粘着接合部材は、ファスナーの下方に対応して設置されることを特徴とする請求項４に記載のワークライトの空気充填式ランプシェード構造。
【請求項６】
前記定位ベルトの一端は、前記上布内側に固定され、反対端は折り返され、前記発光アセンブリサポートフレーム上に掛けて固定され、前記定位ベルトの折り返せる一端には、定位ベルトを折り返した後に固定する嵌接部材或いは粘着接合部材を設置することを特徴とする請求項１に記載のワークライトの空気充填式ランプシェード構造。
【請求項７】
前記収束ベルト一端は、側布外側にミシン縫いして固定し、反対端と側布との間には、前記収束ベルトを巻き付けて収束後に固定できる嵌接部材或いは粘着接合部材を設置することを特徴とする請求項１に記載のワークライトの空気充填式ランプシェード構造。
【請求項８】
前記嵌接部材は、相互に嵌合、取り外し可能なオスボタンとメスボタンであることを特徴とする請求項５〜７の任意の一項に記載のワークライトの空気充填式ランプシェード構造。
【請求項９】
前記粘着接合部材は、面ファスナーであることを特徴とする請求項５〜７の任意の一項に記載のワークライトの空気充填式ランプシェード構造。
【発明の詳細な説明】
【技術分野】
【０００１】
本発明はワークライトの空気充填式ランプシェード構造に関し、特に発光アセンブリの散熱ファンを利用し軟質透光シェードに送風し透光シェードを膨らませ、使用時に衝突による損壊を受けにくいばかりか、透光シェードの空気を抜いた後は縮めて体積を縮小でき、収納に便利なワークライトの空気充填式ランプシェード構造に関する。
【背景技術】
【０００２】
一般に工事現場或いは室外では、室内であったり夜間環境であったりすることで、光線が不足し、安全に影響が及ぶことがある。そのため、ワークライト、サーチライト等を利用して充分な照明を提供し、作業の安定を図っている。
【０００３】
本発明者はかつて特許文献１、特許文献２に開示するＬＥＤ照明デバイスを開発した。
図１に示す通り、デバイスは、スタンド、及びスタンド上に設置する発光アセンブリ１を有する。発光アセンブリ１は、スタンド上に設置するサポートフレーム２、サポートフレーム２上を取り囲んで設置する複数のＬＥＤ発光板３、及びサポートフレーム２下方に設置される散熱ファン４を有する。散熱ファン４は、上向きに、各ＬＥＤ発光板３背部へ送風でき、強制的に散熱させられる。複数のＬＥＤ発光板３は、サポートフレーム２上で、照射角度を調整され、スタンドを対応させることで、災害救援現場、工事現場等でワークライトとして使用することができる。
【０００４】
従来の技術においては、発光アセンブリが投射する光線が集中し過ぎ、夜間使用時に人員の視力に損害を与えないよう、及び衝突による損壊を避けようと、特許文献３、特許文献４、特許文献５では、以下のように開示されている。それは、発光アセンブリ外を囲むように、空気充填式軟質ランプシェードを設置するものである。ワークライトの使用時には、光線を均一に外へと拡散し、衝突による損壊を避けられ、ワークライト不使用時には、収納に便利である。
【０００５】
上述の従来の空気充填式軟質ランプシェードは、使用において大きな問題はないが、詳細にその構造を研究した結果、以下のことが発見された。それは、同技術の光線は、均一に周囲へと拡散するが、同一方向へと均一に照射していないということである。例えば、人員がフロア面での作業を行っている時には、フロア面作業照明を強化する必要があるが、上方へと投射される光線は、光線の強度が分散する。
【０００６】
さらに、同従来の技術によるランプシェードは、空気充填後に円桶状を形成するため、その構造は、上、中、下の３枚の布により組成されているが、ミシン縫いにより上、中、下の３枚の布を連接する過程は容易ではない。上布と中布のミシン縫いが完成された後は、中布は基本的に筒状に形成されている。この時、さらに下布をミシン縫いするのは、非常に困難である。しかも、環状を呈する上、下布には、内周に沿ってさらにファスナーをミシン縫いしなければ、発光アセンブリ外側に組み合わせることができないため、製造工程が煩雑である。この種の軟質ランプシェードの製造及び使用を容易にすることが、本発明人が解決しようとする課題である。
【先行技術文献】
【特許文献】
【０００７】
【特許文献１】台湾特許第４３４００８号明細書
【特許文献２】日本特許第３１７７６５０号明細書
【特許文献３】日本特許第４３８１７０４号明細書
【特許文献４】中国特許第ＣＮ１０１６４６９００Ａ号明細書
【特許文献５】米国特許第７２６４３８２号明細書
【発明の概要】
【発明が解決しようとする課題】
【０００８】
本発明の目的は、ワークライトに応用される空気充填式ランプシェード構造で、ランプシェード構造は軟質の上布及び側布により構成され、簡単に円筒状に成形でき、生産コスト削減の長所を備え、実施時には、上布と側布は完全透光材質で完全透光型ランプシェードを形成でき、或いは上布の内側底面は不透光の反光層で、発光アセンブリの光線は、反光層により反射後、下方へと照射し、下方反射型ランプシェードを形成し、こうしてフロア面照明を強化する。
【課題を解決するための手段】
【０００９】
上述した目的を達成するために、本発明によるワークライトの空気充填式ランプシェード構造は、ワークライトの発光アセンブリサポートフレーム外部を覆うことができる軟質透光シェードを有する。該透光シェードは、頂部が封鎖され、底部に開口を有する円筒状を呈し、発光アセンブリの作動時、散熱ファンは、透光シェード底部開口から、下から上へと送風し、透光シェードを膨らませる。該透光シェードは、発光アセンブリサポートフレーム上方に対応する円形上布、及び発光アセンブリサポートフレーム周囲及び下方を取り囲む少なくとも１個の側布を有する。該側布上縁と該上布周縁とは連接し、該側布下縁には、間隔を開けて配列する複数の歯状欠口を有し、しかも相互に隣り合う各歯状欠口辺縁は相互に連接し、徐々に収縮する立体弧状面を形成し、該立体弧状面底縁には、該開口を形成し、しかも開口周縁には、取り外し可能なように発光アセンブリサポートフレーム下方を環状に定位する締め付けベルトを設置する。該上布内側底面には、下方へと延伸し、発光アセンブリサポートフレームに掛ける複数の定位ベルトをさらに設置し、該側布外側には、透光シェードの空気を抜いた後に収束できる収束ベルトを設置する。
上述の構造により、該透光シェードは、上布及び側布が連接し、円筒状を形成し、該透光シェード上に、該締め付けベルト、該定位ベルト、該収束ベルトを容易に設置でき、製造が容易で、しかも該締め付けベルト、該定位ベルトを通して、該発光アセンブリサポートフレーム上に迅速に固定でき、組み立てが非常に容易である。
【００１０】
実施時には、該上布の内側底面は不透光の反光層で、これにより該発光アセンブリの光線は、反光層により反射後、下方へと集中して照射され、フロア面作業の照明を強化できる。
実施時には、該側布下方には、少なくとも１個の通気孔を設置し、これにより該透光シェード内部の送風気流は、該通気孔から排出される。
実施時には、該側布の内の一つの歯状欠口上には、ファスナーをミシン縫いし、該ファスナーを開くと、該透光シェード底部開口と連通し、これにより該透光シェードは該発光アセンブリサポートフレームの外部を便利に覆うことができる。
実施時には、該締め付けベルトの両端には、相互に固定可能な一組の嵌接部材或いは粘着接合部材を設置し、しかも該嵌接部材或いは該粘着接合部材は、ファスナーの下方に対応して設置される。
実施時には、該定位ベルトの一端は、該上布内側に固定され、反対端は折り返され、該発光アセンブリサポートフレーム上に掛けて固定され、該定位ベルトの折り返せる一端には、定位ベルトを折り返した後に固定する嵌接部材或いは粘着接合部材を設置し、該複数の定位ベルトの設置により、該透光シェードは、空気充填送風時にも安定して揺れ動かず、光線が揺れ動き照明効果に影響が及ぶことを回避できる。
実施時には、該収束ベルト一端は、側布外側にミシン縫いして固定し、反対端と側布との間には、該収束ベルトを巻き付けて収束後に固定できる嵌接部材或いは粘着接合部材を設置する。
実施時には、該嵌接部材は、相互に嵌合、取り外し可能なオスボタンとメスボタンである。
実施時には、該粘着接合部材は、面ファスナーである。
【発明の効果】
【００１１】
本発明による透光シェードは、上布及び側布が連接し、円筒状を形成し、該透光シェード上に締め付けベルト、定位ベルト、収束ベルトを容易に設置できるため、上、中、下の３枚の布を使用する従来の技術に比べ、製造が容易で、生産コストを効果的に削減できる。しかも、透光シェードは締め付けベルト、定位ベルトを通して、発光アセンブリサポートフレーム上に迅速に固定でき、組み立てが非常に容易である。さらに、上布と側布は完全透光材質で、或いは上布の内側底面は不透光の反光層であるため、発光アセンブリの光線は、反光層により反射された後、下方へと均一に照射される。
【図面の簡単な説明】
【００１２】
【図１】従来のワークライトの立体外観図である。
【図２】本発明の設置位置の模式図である。
【図３】本発明の立体分解図である。
【図４】本発明による側布の平面展開図である。
【図５】本発明によるファスナーを開いた時の模式図である。
【図６】本発明の使用状態模式図である。
【図７】本発明の第二実施形態の照明状態模式図である。
【図８】本発明の収束状態模式図である。
【発明を実施するための形態】
【００１３】
以下に本発明の技術内容、構造特徴、達成する目的及び作用効果について、例を挙げ並びに図面を組み合わせて詳細に説明する。
【００１４】
図２に示す通り、本発明によるワークライトに応用される空気充填式ランプシェード構造は、ワークライトの発光アセンブリサポートフレーム１００外部を覆う軟質透光シェード１０を有する。透光シェード１０は、頂部が封鎖され、底部に開口１１を有する円筒状を呈する。開口１１は、散熱ファン１０１の上方に対応し、しかも開口１１内径は発光アセンブリサポートフレーム１００の外径より小さい。
【００１５】
図２〜図４に示す通り、透光シェード１０は、発光アセンブリサポートフレーム１００上方に対応する円形上布１２、及び発光アセンブリサポートフレーム１００周囲及び下方を取り囲む少なくとも１個の側布１３を有する。側布１３上縁はまっすぐで、上布１２周縁と連接する。側布１３下縁には、間隔を開けて配列する複数の歯状欠口１３１を有し、しかも相互に隣り合う各歯状欠口１３１辺縁は相互に連接後、徐々に収縮する立体弧状面１３２を形成し、これにより透光シェード１０は円筒状を形成する。立体弧状面１３２の形成後、底縁には、該開口１１を形成する。実施時には、側布１３は一枚、或いは二枚が相互に合わさって形成される。
【００１６】
図３〜図５に示す通り、透光シェード１０を発光アセンブリサポートフレーム１００外部に設置する便のために、透光シェード１０には、複数の定位ベルト２０、ファスナー３０、及び締め付けベルト４０を設置する。
【００１７】
複数の定位ベルト２０は、上布１２内側底面に設置する。定位ベルト２０の一端は、上布１２内側に固定され、反対端は下方へと延伸して折り返し、発光アセンブリサポートフレーム１００上に掛けて固定される。複数の定位ベルト２０は、先に上布１２と固定後、上布１２はさらに側布１３と連接する。定位ベルト２０の折り返される一端には、嵌接部材２１或いはその他の粘着接合部材を設置し、これにより定位ベルト２０は折り返された後に固定される。図中の嵌接部材２１は、相互に嵌合、取り外しが可能なオスボタンとメスボタンである。
【００１８】
ファスナー３０は、側布１３の内の一つの歯状欠口１３１上にミシン縫いされ、締め付けベルト４０は、開口１１周縁に設置され、従来の技術に比べて製造が容易である。締め付けベルト４０の両端には、相互に固定可能な一組の粘着接合部材４１或いはその他嵌接部材を設置し、これにより締め付けベルト４０は、取り外し可能なように、発光アセンブリサポートフレーム１００下方を取り囲み定位される。図中の粘着接合部材４１は、相互に接着可能な面ファスナーを例とする。
【００１９】
粘着接合部材４１は、ファスナー３０の下方に対応して設置される。透光シェード１０の取り付けの準備時には、ファスナー３０を開き、透光シェード１０底部の開口１１と連通させる。これにより、複数の定位ベルト２０を先に発光アセンブリサポートフレーム１００上に掛ける。次に、透光シェード１０により、上から下へと、発光アセンブリサポートフレーム１００の外部を覆う。続いて、ファスナー３０を引いて封鎖し、締め付けベルト４０両端を相互に接着して締め、こうして透光シェード１０は、発光アセンブリサポートフレーム１００外部に固定される。このように、組み立ては非常に容易である。
【００２０】
図６に示す通り、側布１３下方には、少なくとも１個の通気孔１４を設置する。発光アセンブリの作動時、散熱ファン１０１は、透光シェード１０底部開口１１より、下から上へと送風し、これにより透光シェード１０は膨らみ、送風気流は通気孔１４から排出される。複数の定位ベルト２０の設置により、透光シェード１０は、空気充填送風時にも安定して揺れ動かず、光線は均一に外へと拡散する。こうして、夜間の使用時に、人員の視力の損害を引き起こすことはなくなり、しかも透光シェード１０は軟質布を使用するため、使用時には衝突による損壊の恐れが低い。
【００２１】
さらに、上布１２と側布１３はすべて、透光材質を採用するため、完全透光型ランプシェードを形成できる。或いは図７に示す通り、上布１２は不透光の軟質布片を採用し、しかも内側底面には反光層を接着することで、発光アセンブリの光線は反光層により反射された後、下方へと集中照射し、下方への反射型ランプシェードを形成し、こうしてフロア面作業の照明を強化できる。
【００２２】
また、図８に示す通り、側布１３外側には、収束ベルト５０を設置する。収束ベルト５０一端は、側布１３外側にミシン縫いして固定し、反対端と側布１３との間には、収束ベルト５０を巻き付けて収束後に固定できる嵌接部材５１或いはその他粘着接合部材を設置する。図中では、嵌接部材を例とする。発光アセンブリが運転を停止すると、透光シェード１０は自然に空気が抜ける。この時、収束ベルト５０を利用し、透光シェード１０を発光アセンブリサポートフレーム１００の外部に収束させることができる。これにより、収納体積を縮小できるばかりか、発光アセンブリの衝突防止と保護の効果を間接的に提供することができる。
【００２３】
上述の実施例は僅かに本発明の原理及びその作用効果を説明するものであり、本発明を制限するものではない。これにより、この発明の属する技術の分野における通常の知識を有する者が上述の実施例に対してなし得る修正或いは変化は、すなわち、本発明の精神より逸脱しない。本発明はすでに産業上の利用性、新規性及び進歩性を有し、並びに特許の要件を満たす。
【符号の説明】
【００２４】
１  発光アセンブリ
２  サポートフレーム
３  ＬＥＤ発光板
４  散熱ファン
１００  サポートフレーム
１０１  散熱ファン
１０  透光シェード
１１  開口
１２  上布
１３  側布
１３１  歯状欠口
１３２  立体弧状面
１４  通気孔
２０  定位ベルト
２１  嵌接部材
３０  ファスナー
４０  締め付けベルト
４１  粘着接合部材
５０  収束ベルト
５１  嵌接部材
【図１】
2018092876.tif 000003
【図２】
2018092876.tif 000004
【図３】
2018092876.tif 000005
【図４】
2018092876.tif 000006
【図５】
2018092876.tif 000007
【図６】
2018092876.tif 000008
【図７】
2018092876.tif 000009
【図８】
2018092876.tif 000010
【手続補正書】
【提出日】平成30年1月15日(2018.1.15)
【手続補正１】
【補正対象書類名】特許請求の範囲
【補正対象項目名】全文
【補正方法】変更
【補正の内容】
【特許請求の範囲】
【請求項１】
ワークライトの空気充填式ランプシェード構造であって、ワークライトの発光アセンブリサポートフレーム外部を覆うことができる軟質透光シェードを有し、
前記透光シェードは、頂部が封鎖され、底部に開口を有する円筒状を呈し、
発光アセンブリの作動時、散熱ファンは、透光シェード底部開口から、下から上へと送風し、透光シェードを膨らませ、
前記透光シェードは、発光アセンブリサポートフレーム上方に対応する円形上布、及び発光アセンブリサポートフレーム周囲及び下方を取り囲む少なくとも１個の側布を有し、  前記側布上縁と前記上布周縁とは連接し、前記側布下方には、間隔を開けて配列する複数の歯状欠口を有し、しかも相互に隣り合う各歯状欠口辺縁は相互に連接し、徐々に収縮する立体弧状面を形成し、
前記立体弧状面底縁には、前記開口を形成し、しかも開口周縁には、取り外し可能なように発光アセンブリサポートフレーム下方を環状に定位する締め付けベルトを設置し、
前記上布の内側底面は、不透光の反光層で、並びに下方へと延伸し、発光アセンブリサポートフレームに掛ける複数の定位ベルトを設置し、前記定位ベルトの一端は、前記上布内側に固定され、反対端は折り返され、前記発光アセンブリサポートフレーム上に掛けて固定され、前記定位ベルトの折り返せる一端には、定位ベルトを折り返した後に固定する嵌接部材或いは粘着接合部材を設置し、
前記側布外側には、透光シェードの空気を抜いた後に収束できる収束ベルトを設置し、前記側布の内の一つの歯状欠口上には、ファスナーをミシン縫いし、前記締め付けベルトの両端には、相互に固定可能な一組の嵌接部材或いは粘着接合部材を設置し、しかも前記嵌接部材或いは前記粘着接合部材は、ファスナーの下方に対応して設置されることを特徴とするワークライトの空気充填式ランプシェード構造。
【請求項２】
前記側布下方には、少なくとも１個の通気孔を設置することを特徴とする請求項１に記載のワークライトの空気充填式ランプシェード構造。
【請求項３】
前記収束ベルト一端は、側布外側にミシン縫いして固定し、反対端と側布との間には、前記収束ベルトを巻き付けて収束後に固定できる嵌接部材或いは粘着接合部材を設置することを特徴とする請求項１に記載のワークライトの空気充填式ランプシェード構造。
【請求項４】
前記嵌接部材は、相互に嵌合、取り外し可能なオスボタンとメスボタンであることを特徴とする請求項１〜３の任意の一項に記載のワークライトの空気充填式ランプシェード構造。
【請求項５】
前記粘着接合部材は、面ファスナーであることを特徴とする請求項１〜３の任意の一項に記載のワークライトの空気充填式ランプシェード構造。